【事件の表示】
　特願２０１１−１２３４９１「高輝度放電ランプにパワーを供給するシステム及び方法」拒絶査定不服審判事件〔平成２３年１１月　４日出願公開、特開２０１１−２２３６０２〕について、次のとおり審決する。
【結　論】
　本件審判の請求は、成り立たない。
【理　由】
１　手続の経緯
　本願は，２００４年（平成１６年）１月１５日（パリ条約による優先権主張外国庁受理２００３年１２月８日，米国）を国際出願日とする出願である特願２００６−５４３７８０号の一部を平成２３年６月１日に新たな特許出願としたものであって，平成２４年８月８日付けで拒絶の理由が通知され，これに応答して平成２５年２月１４日に意見書及び手続補正書が提出されたところ，同年９月１７日付けで拒絶の理由が通知され，これに応答して平成２６年３月２４日に意見書が提出されたが，同年８月１５日付けで拒絶査定（同査定の謄本は同月２６日に請求人に送達された。）がなされた。
　これに対して，同年１２月２６日に拒絶査定不服審判の請求がなされたものである。
２　本願発明
　特許請求の範囲の請求項６に係る発明（以下，「本願発明」という。）」は，平成２５年２月１４日付け手続補正書により補正された明細書，特許請求の範囲及び図面の記載からみて，その特許請求の範囲の請求項６に記載された以下のとおりのものと認める。
　なお，下記のとおり，説明のために（Ａ）ないし（Ｄ）の記号を当審において付与した。以下，構成要件Ａ，構成要件Ｂなどと称することにする。
　「【請求項６】
（Ａ）　ビデオディスプレイシステムであって，
（Ｂ）　画像照明ランプと，
（Ｃ）　前記画像照明ランプへのパワーを供給及び除去するコントロール回路と，を有し，
（Ｃ−１）　前記コントロール回路はタイマーを含み，
（Ｃ−１−１）　前記タイマーは，前記コントロール回路が前記画像照明ランプからパワーを除去した時に時間の計時を開始し，
（Ｃ−２）　前記コントロール回路は，前記時間内には前記画像照明ランプをエネルギーを除去した状態に維持し，
（Ｃ−３）　前記コントロール回路は，前記時間内には，前記ビデオディスプレイシステムの前記画像照明ランプ以外の回路にパワーを供給することができる
（Ｄ）　ビデオディスプレイシステム。」
３　引用例の記載事項及び引用発明
（１）引用例の記載事項
　原審の拒絶理由に引用された，特開２００３−５２８７号公報（以下，「引用例」という。）には「投射型表示装置」として図面とともに以下の事項が記載されている。
ア　「【０００１】
【発明の属する技術分野】本発明は，液晶プロジェクタ等の光源を有する投射型表示装置に関する。
【０００２】
【従来の技術】  液晶プロジェクタ等においては，光源からの光を液晶等のライトバルブに照射し，このライトバルブをテレビジョン映像信号やパソコンからの情報等によって変調し，ライトバルブから映像光を出射して，投射レンズを介してスクリーンに映像を投射するようにしている。」
イ　「【００１９】
【発明の実施の形態】以下，本発明の投射型表示装置の実施形態について図面を参照して説明する。図１は，本発明の投射型表示装置の全体構成を示すブロック図である。
【００２０】図１において，２１はマイクロコンピュータ（以下マイコン２１と称す）であり，プロジェクタの動作を制御するものである。マイコン２１には，リモコンやキー入力回路等の操作部２２からの指示を受ける入力回路２３が接続されるとともに，電源回路２４が接続されている。
【００２１】また光源ランプ２５の点灯や消灯を行なうランプ電源回路２６と，前記ランプ２５を冷却するためのファン２７を駆動制御するファン制御回路２８，及び液晶パネル２９を制御する映像処理回路３０を有し，これら回路２４，２６，２８，３０の動作を，マイコン２１が制御するようにしている。なお，映像処理回路３０には，信号源３１が接続され，テレビジョン放送信号を受信処理した映像信号やパソコンからの情報信号が信号源３１から供給されるようになっている。
【００２２】前記ランプ２５は液晶パネル２９に光を照射し，液晶パネル２９を映像処理回路３０からの信号によって変調することで透過光の強度を制御し，この液晶パネル２９からの映像光を投射レンズ３２を介してスクリーン（図示せず）に投射し表示するようにしている。」
ウ　「【００２４】前記マイコン２１は，発振器用の発振子３３（水晶）が接続され，リアルタイムクロック機能を有している。また前記電源回路２４はスタンバイ電源を含み，電源オフ時にも入力回路２３やマイコン２１等は動作可能にしておき，リモコン入力を検出可能にしている。また電源回路２４には充電池等から成る副電源３４が接続され，ＡＣ電源が遮断された場合には副電源３４によってマイコン２１は動作するようになっている。またマイコン２１は，ＡＣ電源が遮断されたとき電圧の立下りを判断してＡＣ電源の遮断を判別するようにしている。
【００２５】また，マイコン２１には不揮発性メモリ３５，温度センサー３６，ＬＥＤ等の表示回路３７が接続されている。前記不揮発性メモリ３５は，マイコン２１のタイムクロックによる時間測定結果等を記憶するもので，前記温度センサー３６は，ランプ２５周辺の温度を検出して，その検出結果をマイコン２１に知らせるものであり，表示回路３７はプロジェクタの異常等を知らせるものである。」
エ　「【００２９】以上がＡＣ電源の遮断時の動作概略であるが，以下図２〜図６のフローチャートを用いて詳細に説明する。先ず図２は，ランプが消灯してからのランプ冷却期間をもとにした保護動作である。
【００３０】図２において，ステップＳ１〜Ｓ７は，プロジェクタの電源オン時の動作であり，ステップＳ１２〜Ｓ１５は電源オフ時の動作であり，ステップＳ９〜Ｓ１０及びステップＳ１６〜Ｓ１９はＡＣ電源遮断時の動作である。
【００３１】ステップＳ１でＡＣ電源が投入されると，マイコン２１は初期設定Ｓ２（例えばファン制御回路２８や表示回路３７の初期設定）を行なう。ステップＳ３でマイコン２１は，リモコンあるいはキー入力回路からの入力の変化を周期的にチェックし，ステップＳ４で電源オンの指示があったか否かを判断する。電源オンの指示があった場合，ステップＳ５でファン電源をオンさせる。これによりファン制御回路２８は先ずファン２７を回転動作させる。
【００３２】次にステップＳ６では不揮発性メモリ３５からのデータを読み取り，ランプ２５が消灯されてからの経過時間（つまり冷却期間）が規定値か否かを判断し，規定値であればステップＳ７でランプ電源をオンにする。またステップＳ６は，ランプの冷却期間が規定値に達しない限り次のステップＳ７には進まず，規定値に達した時点でランプ電源回路２６を制御してランプ２５を点灯させる。またステップＳ８は，電源モードをチェックするものであり，電源がオンの状態にあるか否かを判断するものである。」
オ　「【００３４】次にステップＳ４で電源オフの操作が成された場合，ステップＳ１２でセット電源がオフモードにされたことを判別し，ステップＳ１３でファン電源をオンモードにする。これによりファン制御回路２８はファン２７が停止中の場合はファン２７を回転させ，ファン２７を所定時間回転させた後，次のステップＳ１４でランプ電源をオフにする。これによりランプ電源回路２６はランプ２５を消灯させる。こうしてランプ電源がオフされたときはステップＳ１５においてマイコン２１は，タイムクロックをリセットして冷却時間をゼロにセットして不揮発性メモリ３５にゼロを記憶する。
【００３５】また，ステップＳ１６ではこの状態でＡＣ電源の遮断があったか否かの検出を行ない，遮断されなければ，マイコン２１はタイムクロックにより冷却時間をカウントアップし，ステップＳ１７においてランプ２５の冷却時間が規定値に達したことを検出し，ステップＳ１８においてファン電源をオフにする。こうして電源オフ時にはファン２７を所定時間回転させてランプ２５を冷却した後，電源をオフするようにしている。」
（２）引用発明
　上記の摘記事項アからオまでの記載及び関連する図面並びにこの分野における技術常識を考慮して引用例の記載を検討する。
（２−１）　上記ア及びイ並びに図１には，テレビジョン放送信号を受信処理した映像信号やパソコンからの情報信号が信号源から供給され，映像光を投射レンズを介してスクリーンに投射し表示する投射型表示装置が記載されているから，引用例には，『投射型表示装置』が記載されている。
（２−２）　上記イ及び図１には，光源ランプからの光の照射により，映像光がスクリーンに投射されて表示されることが記載されているから，引用例には，投射型表示装置が『映像を投射するための光源ランプ』を有していることが記載されている。
（２−３）　上記イには，投射型表示装置がマイコンを有し，光源ランプの点灯や消灯を行うランプ電源回路の動作をマイコンが制御することについて記載されている。
　したがって，引用例には，投射型表示装置が『光源ランプの点灯や消灯を行うマイコン』を有することが記載されている。
（２−４）　上記ウ及びオには，マイコンには発振子及びマイコンのタイムクロックによる時間測定結果等を記憶する不揮発性メモリが接続され，マイコンが光源ランプのランプ電源がオフされたときに，マイコンがタイムクロックをリセットしてから冷却時間をカウントアップし，冷却時間が規定値に達したことを検出することについて記載されている。
　また，上記（２−３）において示したように，上記イには，光源ランプの点灯や消灯の制御を，マイコンが行うことについて記載されている。
　ここで，マイコンにより，タイムクロックによる時間測定がなされ，その時間が規定値に達したことについて検出がなされるということは，当該マイコンが『時間測定機構』を備えていることにほかならない。
　したがって，引用例には，『マイコン』が，『前記光源ランプの電源をオフしたときに冷却時間のカウントを開始し，前記冷却時間が規定値に達したことを検出する，時間測定機構を備え』ることが記載されている。
（２−５）　上記エには，マイコンが，電源オンの指示があった場合，ランプが消灯されてからの経過時間（つまり冷却期間）が規定値か否かを判断し，規定値であれば，ランプ電源をオンにするが，ランプの冷却期間が規定値に達しない限り，次のステップには進まず，規定値に達した時点でランプを点灯させることが記載されている。
　したがって，引用例には，『マイコン』が『前記冷却時間が前記規定値に達しない限り，前記光源ランプを点灯させない』ことが記載されている。
（２−６）　上記エには，マイコンが，電源オンの指示があった場合，冷却時間が規定値か否かを判断することなく，ファン電源をオンさせ，これによりファン制御回路がまずファンを回転動作させることが，記載されている。
　したがって，引用例には，『マイコン』が『前記冷却時間が前記規定値に達していないときに，ファン電源をオンし，ファン制御回路によるファンの回転動作をさせることができる』ものであることが記載されている。
　これらのことから，引用例には，次の発明（以下，「引用発明」という。）が開示されている。
　なお，下記（ａ）ないし（ｄ）の記号は，説明のために当審にて付与したものであり，以下，構成要件ａ，構成要件ｂなどと称することにする。
（引用発明）
「（ａ）　投射型表示装置であって，
（ｂ）　映像を投射するための光源ランプと，
（ｃ）　前記光源ランプの点灯や消灯を行うマイコンと，を有し，
（ｃ−１）　前記マイコンは，前記光源ランプの電源をオフしたときに冷却時間のカウントを開始し，前記冷却時間が規定値に達したことを検出する，時間測定機構を備え，
（ｃ−２）　前記マイコンは，前記冷却時間が前記規定値に達しない限り，前記光源ランプを点灯させず，
（ｃ−３）　前記マイコンは，前記冷却時間が前記規定値に達していないときに，ファン電源をオンし，ファン制御回路によるファンの回転動作をさせることができる
（ｄ）　投射型表示装置。」
４　対比
　本願発明と引用発明とを対比する。
（１）本願発明の構成要件Ａ，Ｄと引用発明の構成要件ａ，ｄの対比
　「装置」は種々の部品を備えた「システム」ということができるから，本願発明の構成要件Ａ，Ｄにおける「ビデオディスプレイシステム」と，引用発明の構成要件ａ，ｄにおける「投射型表示装置」とは，表示に関する「システム」という点で一致しているが，前者が「ビデオディスプレイシステム」であるのに対し，後者が「投射型表示装置」である点で相違している。
（２）本願発明の構成要件Ｂと引用発明の構成要件ｂとの対比
　引用発明の構成要件ｂにおける「映像を投射するための光源ランプ」は，映像を投射して表示させるためランプであるから，本願発明の構成要件Ｂにおける「画像照明ランプ」に相当する。
（３）本願発明の構成要件Ｃと引用発明の構成要件ｃとの対比
　引用発明の構成要件ｃにおける「マイコン」は，光源ランプの点灯や消灯を行うランプ電源回路の動作を制御するものであるから，本願発明の構成要件Ｃにおける「画像照明ランプへのパワーを供給及び除去するコントロール回路」に相当する。
（４）本願発明の構成要件Ｃ−１，Ｃ−１−１と引用発明の構成要件ｃ−１との対比
　計時を開始する契機に関し，引用発明の構成要件ｃ−１における「光源ランプの電源をオフしたとき」について，光源ランプの電源をオフするということは，当該光源ランプからパワーを除去することにほかならない。したがって，引用発明の構成要件ｃ−１における「光源ランプの電源をオフしたとき」は，本願発明の構成要件Ｃ−１−１の「画像照明ランプからパワーを除去した時」に相当する。
　また，引用発明の構成要件ｃ−１における「冷却時間が規定値に達したことを検出する」ことは，規定値で示されている時間を計時し，これが満了したことを検出することであるから，引用発明の構成要件ｃ−１における「規定値」は，本願発明の「時間」に相当する。
　したがって，引用発明の構成要件ｃ−１における「前記マイコンは，前記光源ランプの電源をオフしたときに冷却時間のカウントを開始し，前記冷却時間が規定値に達したことを検出する」ことは，本願発明の「前記コントロール回路が前記画像照明ランプからパワーを除去した時に時間の計時を開始」することに相当する。
　さらに，引用発明の構成要件ｃ−１における，マイコンが備える「時間測定機構」は，本願発明の構成要件Ｃ−１における「タイマー」に相当する。
（５）本願発明の構成要件Ｃ−２と引用発明の構成要件ｃ−２との対比
　引用発明の構成要件ｃ−２における，「マイコン」が，「前記冷却時間が前記規定値に達しない限り，前記光源ランプを点灯させ」ないことは，当該規定値で示されている時間内は，ランプが点灯されない状態に維持することにほかならない。また，「ランプを点灯させ」ないことが，本願発明の「画像照明ランプ」から「エネルギーを除去した状態に維持する」ことに相当することは明らかである。
　したがって，引用発明の構成要件ｃ−２「前記マイコンは，前記冷却時間が前記規定値に達しない限り，前記光源ランプを点灯させず」は，本願発明の構成要件Ｃ−２「前記コントロール回路は，前記時間内には，前記画像照明ランプをエネルギーを除去した状態に維持し」に相当する。　　
（６）本願発明の構成要件Ｃ−３と引用発明の構成要件ｃ−３との対比
　引用発明の構成要件ｃ−３における「ファン制御回路」は，光源ランプ及びランプ制御回路とは異なる回路であるから，本願発明の構成要件Ｃ−３における「前記画像照明ランプ以外の回路」に相当する。
　したがって，引用発明の構成要件ｃ−３「前記マイコンは，前記冷却時間が前記規定値に達していないときに，ファン電源をオンし，ファン制御回路によるファンの回転動作をさせることができる」は，本願発明の構成要件Ｃ−３における「前記コントロール回路は，前記時間内には，前記」「システムの前記画像照明ランプ以外の回路にパワーを供給することができる」に相当する。
　したがって，本願発明と引用発明とは，以下の点で一致ないし相違している。
（一致点）
　「システムであって，
　画像照明ランプと，
　前記画像照明ランプへのパワーを供給及び除去するコントロール回路と，を有し，
　前記コントロール回路はタイマーを含み，
　前記タイマーは，前記コントロール回路が前記画像照明ランプからパワーを除去した時に時間の計時を開始し，
　前記コントロール回路は，前記時間内には前記画像照明ランプをエネルギーを除去した状態に維持し，
　前記コントロール回路は，前記時間内には，前記システムの前記画像照明ランプ以外の回路にパワーを供給することができる
　システム。」
（相違点）
　システムが，本願発明では「ビデオディスプレイシステム」であるのに対し，引用発明では「投射型表示装置」である点。
５　当審の判断
　以下，相違点について検討する。
　本願発明の「ビデオディスプレイシステム」について，本願の発明の詳細な説明の段落【００１２】に「図１は本発明の一実施形態を示すブロック図である。ディスプレイシステム１００は，参照符号１０５−１９９で示した複数のテレビジョン回路とサブシステムを有する。回路１６１−１９９は，一般的なテレビジョンの機能を実行する。例えば，同調（チューナ回路１６１），スピーカ制御（回路１６２），オーディオビデオ（Ａ／Ｖ）入出力機能（Ａ／Ｖ回路１６３），その他である。」との記載がなされていることからすると，本願発明の「ビデオディスプレイシステム」としては，少なくとも，一般のテレビジョン受像機が有する回路を備えた装置がこれに該当する。
　ここで，引用発明の投射型表示装置は，上記３（２−１）に示したように，テレビジョン放送信号を受信処理した映像信号が信号源から供給され，映像光をスクリーンに投射して表示するものであって，一般のテレビジョン受像機が有する回路を備えたものではない。
　しかしながら，テレビジョン信号に係る映像を表示する装置として，一般のテレビジョン受像機も，例示するまでもなく周知である。
　そして，この周知のテレビジョン受像機は，引用発明の投射型表示装置と，映像を表示させるという点で，解決しようとする課題や作用，機能が共通するものであるから，引用発明の投射型表示装置というシステムに代えて，一般のテレビジョン受像機が有する回路を備えたシステムを採用し，本願発明の「ビデオディスプレイシステム」を構成することは，当業者が容易になし得たことである。
　また，本願発明の作用効果は，引用発明から当業者が予測し得る範囲のものである。
６　むすび
　以上のとおり，本願発明は，引用発明に基づいて当業者が容易に発明をすることができたものであるから，特許法第２９条第２項の規定により特許を受けることができない。
　よって，結論のとおり審決する。